(57)【要約】【課題】  噴射角を広狭に調整可能で、且つ部品点数が少なく、その組み立てが容易で安価な噴射パターン可変ヘッドを提供する。【解決手段】  内容物が通過する複数の放射状流路の形成された旋回面と、該旋回面に対向する平面との相対距離を可変することによって、内容物の噴射拡散角度を調節する噴射パターン可変ヘッドであって、  円筒状の溝部及び該溝部内に同心状の円筒部を備えた、内容物の充填された容器に結合されるヘッド本体（6-1）と、前記円筒状の溝部に結合される中空の円筒部を備えた噴口部材(6-2)と、前記噴口部材を回動することによって前記放射状流路の形成された旋回面と、該旋回面に対向する前記ヘッド本体の前記円筒部の先端平面との相対距離を可変する噴射パターン可変ヘッド。【選択図】  図６
2006015299.tif 000002
【特許請求の範囲】
【請求項１】
内容物が通過する複数の放射状流路の形成された旋回面と、該旋回面に対向する平面との相対距離を可変することによって、内容物の噴射拡散角度を調節する噴射パターン可変ヘッドであって、
円筒状の溝部及び該溝部内に同心状の円筒部を備えた、内容物の充填された容器に結合されるヘッド本体と、
前記円筒状の溝部に結合される中空の円筒部を備えた噴口部材と、
前記噴口部材を回動することによって前記放射状流路の形成された旋回面と、該旋回面に対向する前記ヘッド本体の前記円筒部の先端平面との相対距離を可変することを特徴とする噴射パターン可変ヘッド。
【請求項２】
前記ヘッド本体の円筒状の溝部と前記噴口部材の中空の円筒部との結合手段として、
ヘッド本体を構成する材質は、噴口部材の材質よりも柔らかな材質とすると共に、結合される噴口部材の中空の円筒部の外側にねじを形成することを特徴とする請求項１に記載の噴射パターン可変ヘッド。
【請求項３】
前記ねじは、多条ねじで形成されることを特徴とする請求項２に記載の噴射パターン可変ヘッド。
【請求項４】
前記噴口部材には、当該噴口部材をヘッド本体に対して相対的に回転させるためのハンドルが備えられていることを特徴とする請求項１〜３のいずれか１項に記載の噴射パターン可変ヘッド。
【請求項５】
前記噴口部材を回転範囲を規制する規制部材を備えることを特徴とする請求項４に記載の噴射パターン可変ヘッド。
【請求項６】
エアゾールタイプ若しくはポンプタイプの容器に取付け可能な請求項１〜５のいずれか１項に記載の噴射パターン可変ヘッド。
【発明の詳細な説明】
【技術分野】
【０００１】
本発明は、少ない部品による簡単な構成の、エアゾール及びポンプに適用可能な噴射角を広狭調整可能にする噴射パターン可変ヘッドに関する。
【背景技術】
【０００２】
エアゾール容器用の噴射角を広狭調整可能な噴射ボタンとしては以下のものが知られている。（例えば、特許文献１参照）
上記特許文献１に記載のエアゾール容器用噴射ボタンの説明を以下にする。
図１乃至図３を基に本発明の実施の形態の一例によるエアゾール容器用噴射ボタンを説明する。エアゾール容器１の頂部に設けられたマウンティングキャップ２には弁機構が設けられ、そのステム３が押し下げ操作により内容物を噴射させるように上方付勢状態で突出している。噴射ボタン１０は、その上面１２が押し下げ操作部として機能すると共に、内部には基端部１３ａでステム３に嵌着して上方へ延びると共に縦方向流路１３ｂが形成された縦方向ノズル部１３及びその上端部に略直交方向へ連通する横方向管部１５ａを備えた横方向ノズル部１５とを有するノズルが形成されている。
【０００３】
横方向ノズル部１５における噴射ボタン１０の外周面前部１１ａに開口する前部には、噴口部として中心部に横向きの噴射口１６ａを有する噴口部材１６が嵌入され、その環状爪部１６ｄが横方向管部１５ａの凹部に係止されるようになっている。また、横方向管部１５ａには、その周面にスライド棒２０がそのフランジ状のシール部２９でガイドされてスライド可能に収納されている。スライド棒２０の直径は、横方向管部１５ａの内周面の内径よりも小さく設定され、スライド棒２０の周囲に環状の横方向流路２８を形成している。スライド棒２０の直径を小さくされた後方部分には、その段差面と噴射ボタン１０の外周面後部１１ｂ間で圧縮されてコイルばね２７が装着されている。
【０００４】
噴射口１６ａの後端周辺面１６ｂには、中心部の噴射口１６ａに連通する複数の放射状流路１８が形成されている。一方、スライド棒２０は、放射状流路１８の遠心側端部１８ａよりも中心寄りに位置する外径を有することにより、前進位置でその前端面２１が放射状流路１８に当接してその遠心側端部１８ａを残して閉鎖する。
【０００５】
外周面後部１１ｂから背後に向けて突出したスライド棒２０の後端部では係合部２６が膨出され、つまみ３０の中央部には、係合部２６を相互に回転自在に遊嵌させる縦溝３１が形成され、その前端の環状の係止部３１ａで係合部２６を係止している。このようにスライド棒２０に取付けられたつまみ３０の前端面３３は、円筒状噴射ボタン１０の外周面１１、即ち外周面後部１１ｂの曲率に対応してスライド棒２０に対して両側に長手方向へ円弧状に形成されている。前端面３３の長手方向の両側の端部３３ａはカム面として機能する外周面後部１１ｂに対する従動部として機能する。外周面後部１１ｂにおけるスライド棒２０に対して上下両側の端部３３ａに対応する位置には、両端部３３ａを係合させる凹部１１ｃが形成されている。
【０００６】
このように構成されたエアゾール容器用噴射ボタンの動作は次の通りである。図３に示すように、つまみ３０が横方向を向いた通常位置では、その前端面３３が外周面後部１１ｂに接面してスライド棒２０が前進位置を占め、その前端面２１が噴射口１６ａの後端周辺面１６ｂにばね力で圧接している。噴射ボタン１０の上面１２を押し下げ操作すると、内容物が縦方向流路１３ｂからスライド棒２０の周囲の断面環状の横方向流路２８を経由して放射状流路１８の遠心側端部１８ａに流入する。この放射状流路を通過することにより噴射口１６ａ内で回転力を生じ、広い拡散角で噴射される。
【０００７】
つまみ３０を通常位置から９０°回転操作すると、図１に示すように、その長手方向が上下方向を向いて前端面３３の両側の端部３３ａが凹部１１ｃに係合して、切換位置に設定される。その過程で、端部３３ａがばね力に抗して外周面後部１１ｂの曲面に沿って従動して徐々に後退し、スライド棒２０は最大ストロークの後退位置を占める。これにより、前端面２１が放射状流路１８から離間し、その全域及び噴射口１６ａに直接内容物が流入し、内容物の放出流の回転力が抑制されて噴射角が狭くなる。
【特許文献１】特開２００２−１７３１８４号公報図１〜３  （０００７）〜（００１２）
【発明の開示】
【発明が解決しようとする課題】
【０００８】
上記従来のエアゾール容器用噴射ボタンでは、
エアゾール容器用の噴射角を広狭に調整可能であるが、部品点数が多く必要であると共に、その組み立てにも多くの手順が必要で高価になるという問題点があった。
【０００９】
本発明の課題（目的）は、噴射角を広狭に調整可能で、且つ部品点数が少なく、その組み立てが容易で安価な噴射パターン可変ヘッドを提供することにある。
【課題を解決するための手段】
【００１０】
前記課題を解決するために、内容物が通過する複数の放射状流路の形成された旋回面と、該旋回面に対向する平面との相対距離を可変することによって、内容物の噴射拡散角度を調節する噴射パターン可変ヘッドであって、
円筒状の溝部及び該溝部内に同心状の円筒部を備えた、内容物の充填された容器に結合されるヘッド本体と、前記円筒状の溝部に結合される中空の円筒部を備えた噴口部材と、
前記噴口部材を回動することによって前記放射状流路の形成された旋回面と、該旋回面に対向する前記ヘッド本体の前記円筒部の先端平面との相対距離を可変することを特徴とする。（請求項１）
【００１１】
前記ヘッド本体の円筒状の溝部と前記噴口部材の中空の円筒部との結合手段として、
ヘッド本体を構成する材質は、噴口部材の材質よりも柔らかな材質とすると共に、結合される噴口部材の中空の円筒部の外側にねじを形成することを特徴とする。（請求項２）
前記ねじは、多条ねじで形成されることを特徴とする。（請求項３）
前記噴口部材には、当該噴口部材をヘッド本体に対して相対的に回転させるためのハンドルが備えられていることを特徴とする。（請求項４）
前記噴口部材を回転範囲を規制する規制部材を備えることを特徴とする。（請求項５）
前記噴射パターン可変ヘッドは、エアゾールタイプ若しくはポンプタイプの容器に取付け可能である。（請求項６）
【発明の効果】
【００１２】
請求項１〜６に記載の発明は、部品点数が少なく、その組み立てが容易で安価な噴射パターン可変ヘッドが実現できる。
【発明を実施するための最良の形態】
【００１３】
従来のエアゾール容器用噴射ボタンでは、噴射パターンの調整を、スライド棒２０が前進位置ではその前端面２１が放射状流路１８に当接してその遠心側端部１８ａを残して閉鎖した状態では、内容物を縦方向流路１３ｂからスライド棒２０の周囲の断面環状の横方向流路２８を経由して放射状流路１８の遠心側端部１８ａに流入する際に、この放射状流路を通過することにより噴射口１６ａ内で回転力が生じて広い拡散角で噴射される第１の状態と、スライド棒２０が後退位置では前端面２１が放射状流路１８から離間し、その全域及び噴射口１６ａに直接内容物が流入し、内容物の放出流の回転力が抑制されて噴射角が狭くなる第２に状態の間で調整していた。
【００１４】
本発明にける噴射パターンの可変の基本的原理としては図１〜３に示した従来の噴射ボタンと同様であるが、その実現手段において大きく異なっている。
以下、図４及び５を用いて詳細に説明する。
本発明の噴射パターン可変ヘッドの特徴は、ヘッド本体部と噴口部材の２つの部品で構成できることである。
【００１５】
図４は、ヘッド本体部を示し、（Ａ）はその正面図、（Ｂ）はａ−ａ’面で切断した際の断面図である。
４−１は、後述のヘッド部材が挿入される円筒型の溝部である。
図５は、噴口部材であって、（Ａ）はその正面図、（Ｂ）はその側面図、（Ｃ）はａ−ａ’面で切断した際の断面図であり、（Ｄ）は裏面図である。
図５の（Ｄ）においては、円筒形の溝部の内壁に複数の放射状流路が形成されている。
図５の（Ｂ）及び（Ｃ）より理解できる様に、噴口部材の円筒部５−１にはねじ（雄ねじ）５−２が形成されると共に、当該噴口部材を回転させるための噴射パターン調整用ハンドル５−３が形成されている。
【００１６】
図５の噴口部材が、図４のヘッド本体の円筒型の溝部に挿入されて本発明の噴射パターン可変ヘッドが構成される。
噴口部材のヘッド本体の円筒型の溝部への挿入は、噴口部材の円筒部に形成されたネジの直径よりも若干小さく形成された溝部へ押し込むことによって、溝部の内部が挿入された円筒部のねじによって変形するようになっている。
そのために、噴口部材の材質をヘッド本体の材質よりも硬い材料を使用する。
具体的には、噴口部材は、ポリブチレンテレフタレート、ポリアセタール、ナイロン等の材料を使用すると共に、ヘッド部材の材質としては、ポリエチレン、ポリプロピレン等の材料を使用する。
【００１７】
次に、噴口部材がヘッド本体の円筒型の溝部へ挿入された状態で、どのように噴射パターンが可変できるかを図６及び７を使用して以下に説明する。
図６は、本発明の噴射パターン可変ヘッドの噴射パターン調整用ハンドルを上方に回転させた状態を示している。
図６の（Ａ）は正面図であり、（Ｂ）はその上面図であり、（Ｃ）はａ−ａ’面で切断した際の断面図である。
【００１８】
図６の（Ｃ）から理解できるように、噴射パターン調整用ハンドルを上方に回転させることによって、当該噴射パターン調整用ハンドル部に一体に形成されている円筒部５−１に形成されたネジの作用によって、噴口部材が円筒型の溝部４−１内方向に後退して、放射状の通路のみを残して閉鎖された状態になって、この状態では、内容液がこの放射状流路を通過することにより噴射口内で回転力が生じて広い拡散角で噴射される。
【００１９】
図７は、本発明の噴射パターン可変ヘッドの噴射パターン調整用ハンドル部を測方に回転させた状態を示している。
図７の（Ａ）は正面図であり、（Ｂ）はその上面図であり、（Ｃ）はａ−ａ’面で切断した際の断面図である。
【００２０】
図７の（Ｃ）から理解できるように、噴射パターン調整用ハンドル部を上方に回転させることによって、当該噴射パターン調整用ハンドル部に一体に形成されている円筒部５−１に形成されたネジの作用によって、噴口部材が円筒型の溝部４−１外方向に前進して、
放射状流路の前面が離間する状態となるので、内容物の放出流の回転力が抑制されて拡散角度が小さくなる。
【００２１】
このように、噴射パターン調整用ハンドルを上方から側方に変化させることによって、内容物の拡散角度を調整することができる。
噴射パターン調整用ハンドルを図６と図７の間の角度にすることによって、内容物の噴射拡散角度を微調整することもできる。
【００２２】
なお、図４及び図５の説明では、ヘッド部材に形成された円筒形の溝部の内壁に複数の放射状流路が形成しているが、この放射状流路は、円筒形の溝部内部の円筒部の先端部に形成しても良い。
その場合の図面を図８（Ｂ）に示す。
図８における（Ａ）は、図５の（Ｄ）に相当する図であり、（Ｃ）は図４の（Ｂ）に相当する図であり、（Ｄ）は図６の（Ｃ）に相当する図である。
【００２３】
また、ヘッド部材に形成された円筒部に形成する「ねじ」としては「多条ねじ」が望ましい。
「多条ねじ」は１ピッチの間に２条或いは３条のらせんが形成されるねじであって、図９に示す如く、１回転した時に進む距離（リード）が１条ねじの場合には「ピッチ＝リード」でるが、多条ねじの場合には、「リードはピッチの条数倍」となるので、少ない回転（図６及び図７の場合は９０度）で多くのリード（距離）をかせげるのでより望ましい。
【００２４】
本発明の噴射パターン可変ヘッドは、上述の説明からも明らかなように、使用する容器としては、エアゾールタイプでもポンプタイプでも良い。
【産業上の利用可能性】
【００２５】
請求項１〜６に記載の発明は、部品点数が少なく、その組み立てが容易で安価な噴射パターン可変ヘッドが実現できるので産業上の利用可能性は極めて大きい。
【図面の簡単な説明】
【００２６】
【図１】従来のエアゾール容器用噴射ボタンの断面を示す図である。
【図２】従来のの噴口部材を示す図である。
【図３】従来の噴射ボタンの通常状態を示す一部破断図である。
【図４】本発明のヘッド本体部を示す図である。
【図５】本発明の噴口部材を示す図である。
【図６】本発明の噴射パターン可変ヘッドの噴射パターン調整用ハンドルを上方に回転させた状態を示す図である。
【図７】本発明の噴射パターン可変ヘッドの噴射パターン調整用ハンドル部を測方に回転させた状態を示す図である。
【図８】放射状流路を円筒形の溝部内部の円筒部の先端部に形成した場合の図である。
【図９】多条ねじのリードとピッチを説明する図である。
【符号の説明】
【００２７】
６−１      ヘッド本体部
６−２      噴口部材
６−３      噴口
【図１】
2006015299.tif 000003
【図２】
2006015299.tif 000004
【図３】
2006015299.tif 000005
【図４】
2006015299.tif 000006
【図５】
2006015299.tif 000007
【図６】
2006015299.tif 000008
【図７】
2006015299.tif 000009
【図８】
2006015299.tif 000010
【図９】
2006015299.tif 000011